(57)【要約】    【課題】  全体としてコンパクト化した状態で保管、収納、梱包、輸送、その他の移動等を行うことができると共に、保管、収納、梱包、輸送、その他の移動に好適であり、且つ、使用のための組み立て作業が容易である処理材保持体の提供。    【解決手段】  拭材押圧体Ｂと拭材保持基体Ａと圧縮コイルばねＣが、拭材押圧体Ｂと拭材保持基体Ａとの間に拭材Ｗの一部を挟圧した挟圧状態と挟圧解除状態に切り替え可能なよう連繋部材Ｄを介して連結及び連繋している。切り替えは連繋部材Ｄの操作部Ｄ１で行う。柄体Ｐは着脱可能であり、連繋部材Ｄを介する圧縮コイルばねＣと拭材保持基体Ａ及び拭材押圧体Ｂの連結は、柄体Ｐ取り外し状態でも維持され、柄体Ｐが取り付けられて挟圧解除状態にある場合の圧縮コイルばねＣの形状に対応した形状が、柄体Ｐが取り外し状態でも維持され得る。【選択図】      図４
2015084819.tif 000002
【特許請求の範囲】
【請求項１】
処理操作を行うための柄体と、
柄体が連結された処理材保持基体と、
処理材保持基体との間に処理材の一部を挟圧して処理材を処理材保持基体に保持するための処理材押圧体と、
処理材押圧体と処理材保持基体との間に処理材の一部を挟圧する弾性的な押圧力を付与するための付勢体を備え、
前記処理材押圧体と処理材保持基体と付勢体が、処理材押圧体と処理材保持基体との間に処理材の一部を挟圧した挟圧状態とその挟圧を解除した挟圧解除状態の間で切り替えが可能なように連繋しており、
前記挟圧状態と挟圧解除状態の切り替え操作を行う操作部を有する処理材保持体であって、
前記柄体は、着脱が可能であり、
前記付勢体は、一部において処理材保持基体と、他の部分において処理材押圧体と、それぞれ直接又は間接に連結されており、その連結は、柄体が取り外された状態においても維持され、前記柄体が取り付けられて挟圧解除状態にある場合の付勢体の形状に対応した形状が、前記柄体が取り外された状態においても維持され得るものであることを特徴とする処理材保持体。
【請求項２】
付勢体が、柄体を挿通し得る挿通空間部を有し、
その挿通空間部に柄体が挿通され、
その挿通空間部に挿通された柄体に沿って付勢体が変形することにより、付勢体が処理材保持基体に対し処理材押圧体を押圧する弾性的な押圧力を付与する請求項１記載の処理材保持体。
【請求項３】
処理材が拭材である請求項１又は２記載の処理材保持体。
【発明の詳細な説明】
【技術分野】
【０００１】
本発明は、モップ用雑巾を保持してモップとして使用するためのモップ用保持体等の処理材保持体に関する。
【背景技術】
【０００２】
登録実用新案第３０４８４１１号公報に記載されているような、モップ用雑巾を挟圧保持してモップとして床清掃等に用いる従来のモップ用保持体は、柄体、並びに、モップヘッドを構成する拭材保持基体と、拭材押圧体と、圧縮コイルばねと、連繋部材と、着脱操作部を備え、柄体がモップヘッドに対し釘やビス等により固定されている。
【０００３】
そのため全体として嵩張り、保管、収納、梱包、輸送、その他の移動等に好適なものとは言い得なかった。また、モップヘッドが破損した場合は柄体を含めたモップ用保持体全体を交換しなければならなかった。
【０００４】
仮に柄体をモップヘッドから取り外すことができたとしても、圧縮コイルばねが分離する構造であり、再組み立てや保管等に適するものではなかった。
【先行技術文献】
【特許文献】
【０００５】
【特許文献１】登録実用新案第３０４８４１１号公報
【発明の概要】
【発明が解決しようとする課題】
【０００６】
本発明は、従来技術における上記のような課題に鑑みて行われたものであり、全体としてコンパクト化した状態で保管、収納、梱包、輸送、その他の移動等を行うことができると共に、保管、収納、梱包、輸送、その他の移動に好適であり、且つ、使用のための組み立て作業が容易である処理材保持体を提供することにある。
【課題を解決するための手段】
【０００７】
本発明の処理材保持体は、次のように表すことができる。
【０００８】
(1) 処理操作を行うための柄体と、
柄体が連結された処理材保持基体と、
処理材保持基体との間に処理材の一部を挟圧して処理材を処理材保持基体に保持するための処理材押圧体と、
処理材押圧体と処理材保持基体との間に処理材の一部を挟圧する弾性的な押圧力を付与するための付勢体を備え、
前記処理材押圧体と処理材保持基体と付勢体が、処理材押圧体と処理材保持基体との間に処理材の一部を挟圧した挟圧状態とその挟圧を解除した挟圧解除状態の間で切り替えが可能なように連繋しており、
前記挟圧状態と挟圧解除状態の切り替え操作を行う操作部を有する処理材保持体であって、
前記柄体は、着脱が可能であり、
前記付勢体は、一部において処理材保持基体と、他の部分において処理材押圧体と、それぞれ直接又は間接に連結されており、その連結は、前記柄体が取り外された状態においても維持され、前記柄体が取り付けられて挟圧解除状態にある場合の付勢体の形状に対応した形状が、前記柄体が取り外された状態においても維持され得るものであることを特徴とする処理材保持体。
【０００９】
挟圧解除状態において処理材保持基体と処理材押圧体の間に処理材の一部を位置させて操作部を操作することにより、付勢体により付与される弾性的な押圧力によって前記処理材の一部を処理材保持基体と処理材押圧体の間に挟圧して処理材を処理材保持基体に保持する挟圧状態に切り替えることができる。
【００１０】
この挟圧状態で、処理材保持基体に連結された柄体を操作することにより、挟圧した処理材により対象物を処理する操作を行うことができる。
【００１１】
また、前記挟圧状態において操作部を操作すれば、挟圧解除状態に切り替えて処理材保持基体と処理材押圧体の間における処理材の一部の挟圧を解除し、処理材を取り外すことができる。
【００１２】
柄体は着脱可能であるから、柄体を取り外して分離し、全体としてコンパクト化した状態で保管、収納、梱包、輸送、その他の移動等を行うことができる。
【００１３】
前記挟圧状態と挟圧解除状態の間で切り替えが可能なように処理材押圧体及び処理材保持基体と連繋している付勢体の、一部において処理材保持基体と、他の部分において処理材押圧体と、それぞれ直接又は間接に連結されている連結状態が、柄体が取り外された状態においても維持されると共に、柄体が取り付けられて挟圧解除状態にある場合の付勢体の形状に対応した形状が、前記柄体が取り外された状態においても維持され得る。
【００１４】
そのため、柄体が取り外された状態における保管、収納、梱包、輸送、その他の移動に好適であると共に柄体を取り付ける作業が容易である。
【００１５】
(2) 付勢体が、柄体を挿通し得る挿通空間部を有し、
その挿通空間部に柄体が挿通され、
その挿通空間部に挿通された柄体に沿って付勢体が変形することにより、付勢体が処理材保持基体に対し処理材押圧体を押圧する弾性的な押圧力を付与する(1)記載の処理材保持体。
【００１６】
挿通空間部に挿通された柄体に沿って付勢体が変形することにより、処理材押圧体と処理材保持基体との間に処理材の一部を挟圧する弾性的な押圧力を確実に付与することができる。
【００１７】
(3) 処理材が拭材である(1)又は(2)記載の処理材保持体。
【発明の効果】
【００１８】
本発明の処理材保持体においては、柄体を取り外して分離し、全体としてコンパクト化した状態で保管、収納、梱包、輸送、その他の移動等を行うことができると共に、柄体が取り外された状態における保管、収納、梱包、輸送、その他の移動に好適であり、且つ、使用のために柄体を取り付ける作業が容易である。
【図面の簡単な説明】
【００１９】
【図１】柄体が取り外された挟圧解除状態の斜視図である。
【図２】柄体が取り外された挟圧解除状態の側面図である。
【図３】柄体が取り外された挟圧解除状態の正面図である。
【図４】柄体が取り付けられた挟圧解除状態の斜視図である。
【図５】柄体が取り付けられた挟圧状態の斜視図である。
【発明を実施するための形態】
【００２０】
[1] 本発明の実施の形態を、図面を参照しつつ説明する。
【００２１】
図面は何れも本発明の処理材保持体の実施の形態の例としてのモップ用保持体に関するものである。
【００２２】
(1) このモップ用保持体は、柄体Ｐ、並びに、モップヘッドを構成する拭材保持基体Ａと、拭材押圧体Ｂと、圧縮コイルばねＣと、連繋部材Ｄと、操作部Ｄ１を備える。
【００２３】
(2) 拭材Ｗとしては、例えば、主として紐状体からなるモップ用雑巾又は布状雑巾を用いることができる。
【００２４】
(3) 柄体Ｐは、金属製のパイプ状をなし、柄体Ｐの一端部には、拭材保持基体Ａに対し連結するための雄ねじ部が形成され、柄体Ｐの他端部には把手部が形成されている。
【００２５】
(4) 拭材保持基体Ａは、合成樹脂製であり、横方向に長く縦に短い細長い主体部Ａ１と、その主体部Ａ１の中央部上側に形成された柄体連結部Ａ２からなる。
【００２６】
柄体連結部Ａ２は、柄体Ｐの一端部の雄ねじが螺合することにより柄体Ｐが連結される上方突出の上方開口筒状をなし、内周部には、前記雄ねじと螺合して柄体Ｐを連結するための雌ねじ部を有する。
【００２７】
(5) 拭材押圧体Ｂは、拭材保持基体Ａの底部Ａ３との間に拭材Ｗの一部を挟圧し得る棒状の押圧部Ｂ１の両端部に棒状材料からなる接続部Ｂ２の基端部が結合したものであって、金属材料製である。拭材保持基体Ａの底部Ａ３は、押圧部Ｂ１との間に挟圧される拭材Ｗの一部が嵌まり込み易いような長手方向の溝状をなす。
【００２８】
拭材押圧体Ｂは、押圧部Ｂ１の両端部に基部がそれぞれ結合した両接続部Ｂ２において、拭材保持基体Ａの主体部Ａ１の両端に形成された嵌合部Ａ４に嵌合し、その嵌合部Ａ４に対し上下方向に摺動して押圧部Ｂ１と拭材保持基体Ａとの間隔が拡縮するものである。
【００２９】
(6) 圧縮コイルばねＣの下端部は、拭材保持基体Ａの柄体連結部Ａ２に嵌合固定されている。両者の嵌合固定は着脱可能な状態であるがこれに限るものではない。
【００３０】
圧縮コイルばねＣの上端部は、レバー状の操作部Ｄ１を一端部に有する連繋部材Ｄの他端部に対し水平方向軸線のまわりに相対的に回動し得るよう設けられた環状のバネ支持体Ｅに連結されている。バネ支持体Ｅの両側には軸部Ｅ１が突設され、バネ支持体Ｅは、それらの軸部Ｅ１において連繋部材Ｄの他端部に対し回動可能に結合されている。
【００３１】
拭材押圧体Ｂの両接続部Ｂ２の各先端部Ｂ３は、連繋部材Ｄのうち、前記操作部Ｄ１と前記バネ支持体Ｅが連結された他端部の間の位置に、水平方向軸線のまわりに相対回動し得るよう連結されている。
【００３２】
このようにして、拭材押圧体Ｂと拭材保持基体Ａと圧縮コイルばねＣは、連繋部材Ｄを介して、拭材押圧体Ｂと拭材保持基体Ａとの間に拭材Ｗの一部を挟圧した挟圧状態とその挟圧を解除した挟圧解除状態の間で切り替えが可能なように連繋している。
【００３３】
操作部Ｄ１の上下動により操作され得る連繋部材Ｄの姿勢は、拭材保持基体Ａが連繋部材Ｄよりも下方に位置する状態において、バネ支持体Ｅの連結位置の方が拭材押圧体Ｂにおける接続部Ｂ２の先端部Ｂ３の連結位置よりも下方に位置する姿勢（挟圧姿勢）とバネ支持体Ｅの連結位置の方が上方に位置する姿勢（挟圧解除姿勢）の間で切り替えられる。
【００３４】
連繋部材Ｄが挟圧姿勢である場合、拭材保持基体Ａの底部Ａ３と拭材押圧体Ｂの押圧部Ｂ１の両者間に拭材Ｗの被挟圧部である中間部を位置させた状態で、圧縮コイルばねＣの圧縮による弾性的な押圧力を作用させて前記両者間に拭材Ｗの中間部を挟圧することにより、拭材Ｗが保持される。
【００３５】
連繋部材Ｄが挟圧解除姿勢である場合、拭材保持基体Ａの底部Ａ３と拭材押圧体Ｂの押圧部Ｂ１の両者間を離隔させると共に圧縮コイルばねＣの圧縮を解除することにより、前記両者間における拭材Ｗの中間部の挟圧が解除される。
【００３６】
(7) 圧縮コイルばねＣは、軸線方向一端部から他端部に至るコイルの内側の空間である挿通空間部Ｃ１に柄体Ｐが挿通され、その挿通空間部Ｃ１に挿通された柄体Ｐに沿って（すなわち柄体Ｐに支持されつつ）圧縮コイルばねＣが変形する。そのため、圧縮コイルばねＣによる弾性的な押圧力を、拭材保持基体Ａと拭材押圧体Ｂとの間における拭材Ｗの一部の挟圧のために確実に付与することができる。
【００３７】
(8) 圧縮コイルばねＣは、拭材保持基体Ａの柄体連結部Ａ２に一端部が連結されることにより柄体Ｐが取り付けられ且つ連繋部材Ｄが挟圧解除姿勢をとって挟圧解除状態にある場合の圧縮コイルばねＣの形状に対応した形状が、柄体Ｐが取り外された状態においても維持され得る。
【００３８】
そのため、柄体Ｐを取り外して分離し、全体としてコンパクト化した状態で保管、収納、梱包、輸送、その他の移動等を行うことができると共に、柄体Ｐが取り外された状態において、拭材Ｗを保持して清掃等に使用するために柄体Ｐを取り付ける作業が容易である。
【００３９】
[2] 本発明の実施の形態を、上記以外の形態を含めて更に説明する。
【００４０】
(1) 処理材保持体は、柄体と、処理材保持基体と、処理材押圧体と、付勢体と、操作部を備える。
【００４１】
(2) 処理材保持体により保持する処理材の例としては、モップ用雑巾（例えば紐状又は布状のもの）等の拭材やその他の各種処理材を挙げることができる。
【００４２】
本明細書における処理材は、対象物の清掃等の処理に使用される部分以外の部分（例えば被挟圧部又はその他の部分）を含むものであってもよい。
【００４３】
(3) 柄体は、処理材を保持した処理材保持体による処理操作を行うためのものであり、例えば、直線に沿った棒状又はパイプ状をなすものとすることができるが、これに限るものではない。
【００４４】
柄体は、例えばその一端部において、処理材保持基体に対し連結することが可能であると共に、その連結の解除により処理材保持基体からの取り外しが可能である。
【００４５】
処理材保持基体に対する柄体の連結は、何れか一方における雄ねじ部と他方における雌ねじ部の螺合、両者の嵌合、その他従来知られている各種手段によることができる。
【００４６】
(4) 処理材保持基体は、処理材を保持するための基体であり、処理材押圧体は、処理材保持基体との間に処理材の一部を挟圧して処理材を処理材保持基体に保持するためのものである。
【００４７】
処理材の一部を処理材保持基体と処理材押圧体の間に挟圧して処理材を保持した状態において、処理材保持基体に連結された柄体によって、保持した処理材による処理操作を行うことができる。
【００４８】
処理材保持基体は、例えば、横方向に長く縦に短い細長い主体部と柄体連結部からなり、付勢体の一部に直接又は間接に連結されるものとすることができる。
【００４９】
柄体連結部は、主体部の中央部上側に設けることができるが、これに限るものではない。柄体連結部の例としては、柄体の端部が螺合又は嵌合することにより柄体が連結される上方突出の上方開口筒状部（例えば内周部に雌ねじ部を有するもの）又は突起部（例えば外周部に雄ねじ部を有するもの）を挙げることができるがこれに限らない。
【００５０】
処理材保持基体は、合成樹脂製とすることができるがこれに限るものではない。
【００５１】
処理材押圧体は、例えば、処理材保持基体との間に処理材の一部を挟圧し得る棒状の押圧部を有し、付勢体の前記一部とは異なる他の部分に直接又は間接に連結されるものとすることができる。処理材押圧体は、例えば、押圧部の両端部に接続部が結合したものとすることができ、接続部を介して付勢体に直接又は間接に連結されるものとすることができる。
【００５２】
処理材押圧体は、押圧部の両端部又は押圧部の両端部に結合した接続部等において処理材保持基体に対し摺動又はその他の相対動することにより押圧部と処理材保持基体との間隔が拡縮するものとすることができる。
【００５３】
処理材押圧体は、金属製とすることができるがこれに限るものではない。
【００５４】
(5) 付勢体は、処理材押圧体と処理材保持基体との間に処理材の一部を挟圧する弾性的な押圧力を付与するためのものである。
【００５５】
操作部は、挟圧状態と挟圧解除状態の切り替え操作を行うためのものである。挟圧操作と挟圧解除操作を別の操作部により行うものとすることもできる。
【００５６】
付勢体としては、圧縮コイルばねを好適な例として挙げることができるが、これに限るものではなく、引っ張りコイルばねやその他の部材を用いることもできる。
【００５７】
付勢体は、一部において処理材保持基体と、他の部分において処理材押圧体と、それぞれ直接又は間接に連結されており、その連結は、柄体が取り外された状態においても維持される。
【００５８】
付勢体が、一部において処理材保持基体と直接又は間接に連結されるというのは、付勢体の一部（例えば圧縮コイルばねのように軸線方向が存在する場合はその軸線方向の一端部）が、処理材保持基体に直接連結され、又は、例えば一定の軸若しくは直交する二軸の回りに相対回動可能な連結部等を介して間接連結されることを言う。
【００５９】
また、付勢体が、他の部分において処理材押圧体と直接又は間接に連結されるというのは、付勢体の他の部分（例えば前記のように軸線方向が存在する場合はその軸線方向の他端部）が、処理材押圧体に直接連結され、又は、例えば処理材押圧体と処理材保持基体と付勢体を連繋させるための連繋部材等を介して間接連結されることを言う。
【００６０】
処理材押圧体と処理材保持基体と付勢体は、処理材押圧体と処理材保持基体との間に処理材の一部を挟圧した挟圧状態とその挟圧を解除した挟圧解除状態の間で切り替えが可能なように連繋している。すなわち、処理材押圧体と処理材保持基体との間に処理材の一部を挟圧する弾性的な押圧力を付勢体が付与して処理材の一部を挟圧した挟圧状態と、その挟圧を解除した挟圧解除状態の間の切り替えを、例えば処理材押圧体と付勢体に連結した連繋部材を操作部により操作すること等により行うことができるように、処理材押圧体と処理材保持基体と付勢体が連繋している。
【００６１】
例えば、付勢体（例えば圧縮コイルばね）の一端部が処理材保持基体に連結され、付勢体の他端部が連繋部材の所定箇所に連結され、連繋部材の別の箇所に処理材押圧体の一部が連結されていて、連繋部材の姿勢を、処理材押圧体と処理材保持基体との間に処理材の一部を挟圧する弾性的な押圧力（例えば圧縮コイルばねの圧縮による弾性的な押圧力）を付勢体が付与して処理材を保持し得る姿勢と、その挟圧を解除し得る姿勢の間で（例えば、連繋部材の姿勢の切り替えにより処理材保持基体と前記所定箇所及び前記別の箇所との各距離を変更して）切り替え可能とすることができる。挟圧状態と挟圧解除状態の切り替え操作を行う操作部は、例えば、連繋部材と一体をなし又は連繋部材に連繋し、操作部を操作することにより連繋部材の姿勢を切り替えられるものとすることができる。
【００６２】
付勢体は、柄体が取り付けられて挟圧解除状態にある場合の付勢体の形状に対応した形状が、前記柄体が取り外された状態においても維持され得る。柄体が取り付けられて挟圧解除状態にある場合の付勢体の形状に対応した形状というのは、柄体が取り付けられて挟圧解除状態にある場合の付勢体（例えば圧縮コイルばね）の形状そのもの又はそれに近い形状（柄体を処理材保持基体に固定する作業を煩雑にしない程度に前記形状に近い形状）を意味する。
【００６３】
また付勢体は、柄体を挿通し得る挿通空間部を有し、その挿通空間部に柄体が挿通され、その挿通空間部に挿通された柄体に沿って（すなわち柄体に支持されつつ）付勢体が変形することにより、付勢体が処理材保持基体に対し処理材押圧体を押圧する弾性的な押圧力を付与するものとすることができる。例えば、付勢体が圧縮コイルばねであり、その圧縮コイルばねの軸線方向一端部から他端部に至る内側の空間である挿通空間部に柄体が挿通され、その挿通空間部に挿通された柄体に沿って付勢体である圧縮コイルばねが変形するものとすることができる。
【００６４】
なお、以上の実施の形態についての記述における上下位置関係は、基本的な状態に基づくものであって、実際の使用状態等を限定するものではない。
【符号の説明】
【００６５】
Ａ      拭材保持基体
Ａ１    主体部
Ａ２    柄体連結部
Ａ３    底部
Ａ４    嵌合部
Ｂ      拭材押圧体
Ｂ１    押圧部
Ｂ２    接続部
Ｂ３    先端部
Ｃ      圧縮コイルばね
Ｃ１    挿通空間部
Ｄ      連繋部材
Ｄ１    操作部
Ｅ      バネ支持体
Ｅ１    軸部
Ｐ      柄体
Ｗ      拭材
【図１】
2015084819.tif 000003
【図２】
2015084819.tif 000004
【図３】
2015084819.tif 000005
【図４】
2015084819.tif 000006
【図５】
2015084819.tif 000007